(57)【要約】【課題】レンズピッチを１００μｍ以下にすることで高解像度なエンジンに対応すると共に、高視野角、モアレを低減することを可能とし、透明支持体の厚みを１００μｍ以下にすることで、十分な環境特性を保持しながらも反り量を小さくする事ができ、歯潰れやピンクッションを緩和することが可能な背面透過型スクリーン用レンチキュラーレンズシートを提供する。【解決手段】透明支持体の片面に、水平方向に並列したシリンドリカルレンズ群を有し、  他面には、前記シリンドリカルレンズ群による非集光部に、黒色などのストライプ状の遮光部を有しており、少なくとも拡散層を有する透光性基材と、前記支持体の遮光部側とを、粘着層を介して貼り合わせてなる構成のレンチキュラーシートであって、前記シリンドリカルレンズ群の並列ピッチが１００μｍ以下であり、前記支持体の厚みが１００μｍ以下であることを特徴とする。【選択図】図１
2005037695.tif 000002
【特許請求の範囲】
【請求項１】
透明支持体の片面に、水平方向に並列したシリンドリカルレンズ群を有し、
他面には、前記シリンドリカルレンズ群による非集光部に、黒色などのストライプ状の遮光部を有しており、
少なくとも拡散層を有する透光性基材と、前記支持体の遮光部側とを、粘着層を介して貼り合わせてなる構成のレンチキュラーシートであって、
前記シリンドリカルレンズ群の並列ピッチが１００μｍ以下であり、前記支持体の厚みが１００μｍ以下であることを特徴とするレンチキュラーシート。
【請求項２】
対角４０インチ以上の画面サイズでＵＸＧＡ以上の解像度に適応すると共に、半値角が３５゜以上の配光特性を有することを特徴とする請求項１記載のレンチキュラーシート。
【請求項３】
前記支持体の厚みが前記透光性基材の厚みの１／１０以下であり、反り量の抑制，およびピンクッションや歯潰れの緩和が可能であることを特徴とする請求項１または２に記載のレンチキュラーシート。
【発明の詳細な説明】
【技術分野】
【０００１】
本発明は、背面透過型プロジェクションテレビ（以下、リアプロジェクションテレビ）などに用いられる透過型スクリーンを構成するレンチキュラーシートに関する。
【背景技術】
【０００２】
リアプロジェクションテレビ向けの透過型スクリーンは、一般的に、観察者側に配置されるレンチキュラーシートと光源側に位置するフレネルレンズシートとの組み合わせにより構成されている。
【０００３】
同心円状に単位レンズを配してなるフレネルレンズシートは、エンジンと呼ばれる小型プロジェクタからの投影光を略平行光として、レンチキュラーシート側に出射する機能を有する。
【０００４】
レンチキュラーシートは、フレネルレンズシートで略平行光とされた投影光を、水平方向に並列されたシリンドリカルレンズ群の特性により、水平方向に広げ、観察者側に表示光として出射する機能を有する。
【０００５】
レンチキュラーシート，フレネルレンズシート共に、レンズ部は片面のみに形成されており、それらレンズシートは互いのレンズ部側同士が面するように組み合わせられるのが一般的な構成である。
【０００６】
リアプロジェクションテレビに用いられる透過型スクリーンは、広視野角、高解像度、高コントラストそしてギラツキの少ないものが求められており、視野角が広いと観察者にとって映像可視領域が広くなり、コントラストが高いと映像の視認性が高く、ギラツキが少ないと観察者の眼の疲労が少なくなるなどの利点がある。
【０００７】
近年、特に高解像度に関し、「ＬＣＯＳ（リキッド・クリスタル（液晶）・オン・シリコン）」を用いた液晶式プロジェクタや、ＴＩ（テキサス・インスツルメンツ）社の登録商標である「ＤＭＤ（デジタル・マイクロミラー・デバイス）あるいはＤＬＰ（デジタル・ライト・プロセッシング）」と称される反射型ライトバルブ方式に係る単管式のプロジェクタを用いた表示デバイスなどの高解像度なエンジンが普及しており、これら新規デバイス向けに好適な透過型スクリーンが要求されている。
【０００８】
高解像度なエンジンを搭載したリアプロジェクションテレビに従来のレンチキュラーシートを使用すると、モアレが発生し解像度が低下してしまう。また、レンチキュラーシートとフレネルレンズシートの密着性が低下し、浮きが生じることでも解像度の低下が指摘されている。
【０００９】
密着性を向上させる目的で、レンチキュラーシートもしくはフレネルレンズシートの少なくとも片方に、レンズ面が凸になるような形状で反りを付与することが知られている。
【００１０】
反り付与に際し、環境特性を向上させる（経時的な反り量の低下を防ぐ）目的で、少なくともレンズシート基材の軟化点以上に加熱を行なった状態で反りを付与することが公知であるが、その方法では、僅かな反りを付与することは制御が困難であり、反り量は大きくなってしまう傾向にある。
【００１１】
反り量が大きいと、レンズの歯潰れやピンクッションと呼ばれる線画像が曲がってしまう現象が生じてしまい、投射される画像を正しく表示できない問題が起こってしまう。
【発明の開示】
【発明が解決しようとする課題】
【００１２】
本発明は、上記の技術背景を考慮してなされたものであり、レンチキュラーシートのレンズピッチを１００μｍ以下にすることで高解像度なエンジンに対応すると共に、高視野角、モアレを低減することを可能とし、透明支持体の厚みを１００μｍ以下にすることで、十分な環境特性を保持しながらも反り量を小さくする事ができ、歯潰れやピンクッションを緩和することが可能な背面透過型スクリーン用レンチキュラーシートを提供することを目的とする。
【課題を解決するための手段】
【００１３】
本発明は、
透明支持体の片面に、水平方向に並列したシリンドリカルレンズ群を有し、
他面には、前記シリンドリカルレンズ群による非集光部に、黒色などのストライプ状の遮光部を有しており、
少なくとも拡散層を有する透光性基材と、前記支持体の遮光部側とを、粘着層を介して貼り合わせてなる構成のレンチキュラーシートであって、
前記シリンドリカルレンズ群の並列ピッチが１００μｍ以下であり、前記支持体の厚みが１００μｍ以下であることを特徴とするレンチキュラーシートである。
【００１４】
上記のレンチキュラーシートにおいては、
対角４０インチ以上の画面サイズでＵＸＧＡ以上の解像度に適応すると共に、半値角が３５゜以上の配光特性を有することが好ましい。
【００１５】
また、前記支持体の厚みが前記透光性基材の厚みの１／１０以下であり、反り量の抑制，およびピンクッションや歯潰れの緩和が可能であることが好ましい。
【発明の効果】
【００１６】
本発明により、レンチキュラーシートのレンズピッチを１００μｍ以下にすることで、高解像度なエンジンに対応すると共に、高視野角化，モアレを低減することを可能にすることができる。
【００１７】
さらに透明支持体の厚みを１００μｍ以下にすることで、十分な環境特性を保持しながらも反り量を小さくする事ができ、歯潰れやピンクッションを緩和することが可能な背面透過型スクリーン用レンチキュラーレンズシートを提供することができる。
【発明を実施するための最良の形態】
【００１８】
以下、本発明の実施形態について、図面に基づいて説明する。
【００１９】
図１は、本発明における透過型スクリーンの構成の一例を示した模式断面図である。
【００２０】
この透過型スクリーン１１は、プロジェクタ１２からの投射光を、略平行光として出射する作用を持つフレネルレンズシート１３と、フレネルレンズシート１３からの出射光を受け、垂直方向に並列したシリンドリカルレンズ群からなるレンチキュラーシート１４を観察者側に配置し、上記の略平行光を水平方向に拡げて出射する作用を持つレンチキュラーシート１４とを備え、前記レンチキュラーシート１４のレンズ側に凸状の反りを、長辺側に設けた例を示したものである。
また、本発明の透過型スクリーンにおいて、上記に示した構成に限定されるものではない。
【実施例１】
【００２１】
実施例１（比較例１）
本実施例では、レンチキュラーシートは、厚さ１ｍｍ，縦５６０ｍｍ×横９７０ｍｍのアクリル製の樹脂板を基材とした。前記基材には、拡散性微粒子の分散混合された光拡散インキを塗布形成，または基材内部に拡散性微粒子を練り込むなどの光拡散機能を付与する処理が行なわれる。
【００２２】
レンズシートは、ＰＥＴフィルムに予め紫外線硬化型樹脂で水平方向に並列したシリンドリカルレンズ群を成形し、さらに、反レンズ部側の非集光部に黒色の遮光部を形成した。
【００２３】
上記樹脂基板とレンズシートを粘着層を介し貼り合わせることで、レンチキュラーシートとした。
【００２４】
ここで、ＰＥＴ厚、レンズピッチの異なるものを２種類作成した。
【００２５】
一方のレンズシートは、ＰＥＴ厚が１２５μｍでレンズピッチが１５５μｍ。（比較例１にあたる）
もう一方は、ＰＥＴ厚が７５μｍでレンズピッチは９８μｍである。（実施例１にあたる）
上記レンチキュラーシートの水平方向視野角の測定を行ったところ、レンズピッチ１５５μｍの半値角は３２゜、レンズピッチ９８μｍの半値角は３６゜であった。
また図２は、上記レンチキュラーシートに対して、解像度がＵＸＧＡ（ウルトラ・エクステンディド・グラフィックス・アレイ）のプロジェクターにより背面から投影したときの画素ピッチ２３とレンズピッチに起因するモアレの状態を模式的に表したものである。
レンズピッチ９８μｍ（符号２２）のでもモアレは生じているが、レンズピッチ１５５μｍ（符号２１）に比べ、弱いものとなっている。
【００２６】
上記レンチキュラーレンズシートを曲率半径が１４００ｍｍのアルミ型に挟み、アクリル製樹脂基材の軟化点以上の温度で高温槽にて加熱を行ない、その後室温下にそのままの状態で取り出し冷却を行なうことで、長辺方向の反り形成を行なった。
【００２７】
比較例１のＰＥＴ厚１２５μｍ，レンズピッチ１５５μｍのレンズシートは２７０ｍｍの反り量となり、実施例１のＰＥＴ厚７５μｍ，レンズピッチ９８μｍのレンズシートは２２０ｍｍの反り量となった。
【００２８】
支持体であるＰＥＴの厚さが、実施例１では７５μｍ，比較例１では１２５μｍであり、両者に共通するアクリル基板（拡散層を有する透光性基材）の厚さに対して、前者は１／１０以下，後者は１／１０以上である。
【００２９】
また、図３は、反りを付与した上記レンチキュラーレンズシートと基材厚１．８５ｍｍのフレネルレンズシートを長辺のみテープ止めした状態で、テレビ枠に実装したときの歯潰れ３３の様子を図示したものである。
【００３０】
同図では、歯潰れが発生した部分を網がけして示している。
【００３１】
レンズピッチ９８μｍのレンズシート（実施例１＝３２）の歯潰れ状態３３は、レンズピッチ１５５μｍのレンズシート（比較例１＝３１）の歯潰れ状態３３に比べ、発生した領域が少なくなった。
【００３２】
ピンクッションもレンズピッチ９８μｍのレンズシート（実施例１）の方が０．３ｍｍの結果が得られた。
実施例２（比較例２）
本実施例において、上記レンチキュラーレンズシートは、厚さ１．８５ｍｍ、縦６７０ｍｍ×横１１３０ｍｍのアクリル製の樹脂板を基材とした。
【００３３】
レンズシートは、ＰＥＴフィルムに予め紫外線硬化型樹脂で水平方向に並列したシリンドリカルレンズを成形し、さらに非集光部に黒色の遮光部を形成した。
【００３４】
樹脂基板とレンズシートを粘着層を介し貼り合わせることで、レンチキュラーシートとした。
【００３５】
ここで、ＰＥＴ厚、レンズピッチの異なるものを２種類作成した。
【００３６】
一方のレンズシートはＰＥＴ厚が１２５μｍでレンズピッチが１５５μｍ。（比較例２にあたる）
もう一方はＰＥＴ厚が７５μｍでレンズピッチは９８μｍである。（実施例２にあたる）
上記レンチキュラーシートにそれぞれ同条件で短辺方向に反り付与を行った。
【００３７】
比較例２のＰＥＴ厚が１２５μｍでレンズピッチが１５５μｍのレンチキュラーシートは３３ｍｍの反り量となり、実施例２のＰＥＴ厚が７５μｍでレンズピッチは９８μｍのレンチキュラーシートは反り量が３２ｍｍとなった。
【００３８】
室温４０℃、湿度９５％の環境下に吊した状態で保管を行った。
【００３９】
１時間後、レンズピッチが１５５μｍのレンチキュラーシート（比較例２）は長辺方向に４１ｍｍ逆反り形状となり、レンズピッチが９８μｍのレンチキュラーシート（実施例２）も長辺方向に逆反り形状になったが、逆反り量は１４ｍｍと、レンズピッチが１５５μｍのレンチキュラーシート（比較例２）に比べ良好な結果となった。
【図面の簡単な説明】
【００４０】
【図１】本発明の透過型スクリーン構成の一例を示した模式断面図。
【図２】レンチキュラーレンズシートのレンズピッチと画素ピッチとで生じるモアレの概略図。
【図３】反りを付与したレンチキュラーレンズシートとフレネルレンズシートをテレビ枠に実装した時に生じる歯潰れをフレネルレンズシート側から観察したときの概略図。
【符号の説明】
【００４１】
１１・・・透過型スクリーン
１２・・・光源
１３・・・フレネルレンズシート
１４・・・レンチキュラーレンズシート
２１・・・１５５μｍのレンズピッチ
２２・・・９８μｍのレンズピッチ
２３・・・ＵＸＧＡの画素ピッチ
３１・・・レンズピッチ１５５μｍのレンチキュラーレンズシートを使用したときの歯潰  れの様子
３２・・・レンズピッチ９８μｍのレンチキュラーレンズシートを使用したときの歯潰れの様子
３３・・・歯潰れ部分
【図１】
2005037695.tif 000003
【図２】
2005037695.tif 000004
【図３】
2005037695.tif 000005